(57)【要約】      （修正有）【課題】Ｆナンバーが明るく、高い開口効率を有し、高空間周波数領域で高いコントラストを有する読取レンズを提供する。【解決手段】読取レンズは、物体側から順に、正の第１レンズＬ１と負の第２レンズＬ２とが接合された正の屈折力を有する第１群Ｇ１、負の第３レンズＬ３からなる第２群Ｇ２、正の第４レンズＬ４からなる第３群Ｇ３、負の第５レンズＬ５からなる第４群Ｇ４、及び負の第６レンズＬ６からなる第５群Ｇ５で構成され、第１群と第２群との間に絞りを有し、レンズのバックフォーカスをＢＦ、レンズ全長をＬ、第１群のｅ線の焦点距離をｆ１、全系のｅ線の焦点距離をｆ、第５レンズと第６レンズの空気間隔をｄ１０としたとき、（１）０．０１＜ＢＦ／Ｌ＜０．１０，（２）０．５０＜ｆ１／ｆ＜９．５，（３）０．２０＜ｄ１０／ｆ＜０．９０を満足する。【選択図】図１
2014035397.tif 000002
【特許請求の範囲】
【請求項１】
物体側から像側へ向かって順に、正の第１レンズと負の第２レンズとが接合された正の屈折力を有する第１群、負の第３レンズからなる第２群、正の第４レンズからなる第３群、負の第５レンズからなる第４群、及び負の第６レンズからなる第５群で構成され、前記第１群と前記第２群との間に絞りを有し、
レンズのバックフォーカスをＢＦ、レンズ全長をＬ、前記第１群のｅ線の焦点距離をｆ１、全系のｅ線の焦点距離をｆ、前記第５レンズと前記第６レンズとの空気間隔をｄ１０としたとき、
（１）０．０１＜ＢＦ／Ｌ＜０．１０
（２）０．５０＜ｆ１／ｆ＜９．５
（３）０．２０＜ｄ１０／ｆ＜０．９０
の条件を満足することを特徴とする読取レンズ。
【請求項２】
前記第１レンズの入射側面が非球面であることを特徴とする請求項１に記載の読取レンズ。
【請求項３】
前記第６レンズの像側面が非球面であることを特徴とする請求項１または２に記載の読取レンズ。
【請求項４】
前記第６レンズがプラスチック製であることを特徴とする請求項１から３のいずれかに記載の読取レンズ。
【請求項５】
前記第６レンズの外形形状が、主走査方向に長い短冊形状であることを特徴とする請求項１から４のいずれかに記載の読取レンズ。
【請求項６】
原稿を照明する照明系と、前記照明系で照明された原稿の反射光を縮小結像させる結像レンズと、前記結像レンズで結像された原稿像を光電変換するラインセンサとを有し、前記結像レンズが請求項１から６のいずれかに記載の読取レンズであることを特徴とする画像読取装置。
【請求項７】
前記読取レンズの結像光路上に色分解手段を有し、前記原稿のカラー画像をフルカラーで読み取ることを特徴とする請求項６に記載の画像読取装置。
【請求項８】
前記照明系の光源がＬＥＤであることを特徴とする請求項６または７に記載の画像読取装置。
【請求項９】
請求項６から８のいずれかに記載の画像読取装置を備えることを特徴とする画像形成装置。
【発明の詳細な説明】
【技術分野】
【０００１】
本発明は、読取レンズ、該読取レンズを備えた画像読取装置、及び該画像読取装置を備えた画像形成装置に関する。
【背景技術】
【０００２】
ファクシミリやデジタル複写機等の画像読取装置においては、読み取るべき画像情報を読取レンズで縮小して、ＣＣＤ（Charge  Coupled  Device）のような固体撮像素子上に結像させて画像情報を信号化する。原稿の画像情報をカラーで読み取るために、例えば赤、緑、青のフィルタを持った受光素子が１チップに３列に配列されている所謂３ラインＣＣＤを用い、この受光面に原稿像を結像させることにより３原色に色分解し、カラー画像情報を信号化する光学系がある。
【０００３】
このような光学系に用いられる読取レンズでは、一般に、像面において高空間周波数領域で高いコントラストを有するとともに、開口効率が画角周辺部まで１００％近くあることが要求されている。また、カラー原稿を良好に読み取るためには、受光面上で赤、緑、青の各色の結像位置を光軸方向に合致させる必要があり、各色の色収差を極めて良好に補正しなければならない。
【０００４】
さらに、画像読取装置は性能の向上のみならず、小型化と低コスト化が求められている。光学系の小型化を達成するためには、共役長を短くする必要があり、このため広画角なレンズが求められており、低コスト化を実現させるためには、レンズ構成枚数を少なくすることが求められている。
【０００５】
このような広画角であり、かつ構成枚数が比較的少ない画像読取レンズとしては、例えば、半画角は３０゜前後を達成し、構成枚数が５群５枚からなるもの（特許文献１及び２参照）や、軸対称非球面を用いたレンズ（特許文献３及び４参照）などが提案されている。
【発明の概要】
【発明が解決しようとする課題】
【０００６】
しかしながら、特許文献１及び２に記載のレンズは、共に直交する方向の屈折力が異なる所謂アナモフィックレンズを使用しているため、加工面において課題があり、レンズが高価になるため、低コスト化を実現するのが困難であるという問題がある。一方、特許文献３及び４に記載のレンズは、半画角が２１．５゜程度と狭いため、光学系の共役長が長くなってしまい、小型化が困難であるという問題がある。
【０００７】
また、小型化及び低コスト化に適した少ないレンズ構成枚数の画像読取レンズは、求められる種々の要請に応えるのが困難である。具体的には、広い範囲で軸上の色収差を良好に補正し、非常に広角でも良好に像面湾曲補正がなされ、明るいＦナンバーで開口効率が非常に高く、緒収差を良好に補正することができ、高空間周波数領域において高いコントラストを有することが求められる。
【０００８】
そこで、本発明は上記課題に鑑み、少ないレンズ構成枚数にもかかわらず、Ｃ線（６５６．２７ｎｍ）からｇ線（４３５．８３ｎｍ）と広い範囲で軸上の色収差を良好に補正し、半画角が３０゜を超える広角でも良好に像面湾曲補正がなされ、Ｆナンバーが５．６程度と明るく、かつ周辺部まで１００％に近い開口効率を有し、緒収差を良好に補正可能であり、高空間周波数領域で高いコントラストを有する読取レンズを提供することを目的とする。
【課題を解決するための手段】
【０００９】
上記課題を解決するために、本発明に係る読取レンズは、物体側から像側へ向かって順に、正の第１レンズと負の第２レンズとが接合された正の屈折力を有する第１群、負の第３レンズからなる第２群、正の第４レンズからなる第３群、負の第５レンズからなる第４群、及び負の第６レンズからなる第５群で構成され、前記第１群と前記第２群との間に絞りを有し、レンズのバックフォーカスをＢＦ、レンズ全長をＬ、前記第１群のｅ線の焦点距離をｆ１、全系のｅ線の焦点距離をｆ、前記第５レンズと前記第６レンズとの空気間隔をｄ１０としたとき、
（１）０．０１＜ＢＦ／Ｌ＜０．１０
（２）０．５０＜ｆ１／ｆ＜９．５
（３）０．２０＜ｄ１０／ｆ＜０．９０
の条件を満足することを特徴とする読取レンズである。
【発明の効果】
【００１０】
本発明に係る読取レンズによれば、少ないレンズ構成枚数にもかかわらず、Ｃ線（６５６．２７ｎｍ）からｇ線（４３５．８３ｎｍ）と広い範囲で軸上の色収差を良好に補正し、半画角が３０゜を超える広角でも良好に像面湾曲補正がなされ、Ｆナンバーが５．６程度と明るく、かつ周辺部まで１００％に近い開口効率を有し、緒収差を良好に補正可能であり、高空間周波数領域で高いコントラストを有する読取レンズを提供することができる。
【図面の簡単な説明】
【００１１】
【図１】読取レンズの構成の一例を示す概略断面図である。
【図２】第６レンズの外形形状の一例を示す説明図である。
【図３】第１の実施態様に係るレンズ構成を示す概略断面図である。
【図４】第１の実施態様のレンズ構成における球面収差、非点収差、歪曲収差、及びコマ収差を示す収差曲線図である。
【図５】第２の実施態様に係るレンズ構成を示す概略断面図である。
【図６】第２の実施態様のレンズ構成における球面収差、非点収差、歪曲収差、及びコマ収差を示す収差曲線図である。
【図７】第３の実施態様に係るレンズ構成を示す概略断面図である。
【図８】第３の実施態様のレンズ構成における球面収差、非点収差、歪曲収差、及びコマ収差を示す収差曲線図である。
【図９】第４の実施態様に係るレンズ構成を示す概略断面図である。
【図１０】第４の実施態様のレンズ構成における球面収差、非点収差、歪曲収差、及びコマ収差を示す収差曲線図である。
【図１１】画像読取装置の実施形態の一例を説明するための概略構成図である。
【図１２】画像形成装置の実施形態の一例を説明するための概略構成図である。
【発明を実施するための形態】
【００１２】
以下、本発明に係る読取レンズ、画像読取装置、及び画像形成装置について、図面を参照して説明する。なお、本発明は以下に示す実施形態に限定されるものではなく、他の実施形態、追加、修正、削除など、当業者が想到することができる範囲内で変更することができ、いずれの態様においても本発明の作用・効果を奏する限り、本発明の範囲に含まれるものである。
【００１３】
本発明に係る読取レンズの構成の一例を図１に示す。
図１に示すように、読取レンズは、物体側から像側へ向かって順に、正の第１レンズＬ１と負の第２レンズＬ２とが接合された正の屈折力を有する第１群（Ｇ１）、負の第３レンズＬ３からなる第２群（Ｇ２）、正の第４レンズＬ４からなる第３群（Ｇ３）、負の第５レンズＬ５からなる第４群（Ｇ４）、及び負の第６レンズＬ６からなる第５群（Ｇ５）で構成され、第１群（Ｇ１）と第２群（Ｇ２）との間に絞りＳを有する。
第１レンズＬ１の物体側にはコンタクトガラスＣＮが配置され、第６レンズＬ６の像側にはＣＣＤカバーガラスＣＶが配置されている。像面をＩＳで示している。
【００１４】
なお、図１における符号の意味は下記の通りである。
ｒｉ（ｉ=１〜１２）：物体側から数えてｉ番目のレンズ面の曲率半径
ｄｉ（ｉ=１〜１１）：物体側から数えてｉ番目の面間隔
Ｎｊ（ｊ=１〜６）：物体側から数えてｊ番目の面間隔のレンズ材料の屈折率
νｊ（ｊ=１〜６）：物体側から数えてｊ番目の面間隔のレンズ材料のアッベ数
ｒｃ１：コンタクトガラスの物体側の曲率半径
ｒｃ２：コンタクトガラスの像側の曲率半径
ｒｃ３：ＣＣＤカバーガラスの物体側の曲率半径
ｒｃ４：ＣＣＤカバーガラスの像側の曲率半径
ｄｃ１：コンタクトガラスの肉厚
ｄｃ３：ＣＣＤカバーガラスの肉厚
Ｎｃ１：コンタクトガラスの屈折率
νｃ１：ＣＣＤカバーガラスのアッベ数
Ｎｃ３：コンタクトガラスの屈折率
νｃ３：ＣＣＤカバーガラスのアッベ数
【００１５】
前記読取レンズは、レンズのバックフォーカスをＢＦ、レンズ全長をＬ、第１群（Ｇ１）のｅ線の焦点距離をｆ１、全系のｅ線の焦点距離をｆ、第５レンズＬ５と第６レンズＬ６との空気間隔をｄ１０としたとき、下記条件式（１）〜（３）を満足する。
（１）０．０１＜ＢＦ／Ｌ＜０．１０
（２）０．５０＜ｆ１／ｆ＜９．５
（３）０．２０＜ｄ１０／ｆ＜０．９０
【００１６】
上記条件式（１）は、レンズ全長Ｌに対するバックフォーカスＢＦの割合を規定するものである。ここで、バックフォーカスＢＦは、実使用状態における第５群（第６レンズＬ６）の像側面と像面ＩＳとの間隔である。
ＢＦ／Ｌの値が、上限値（０．１０）を超えると、第１群から第４群が大型化し、全体的なコストアップを招く。
一方、ＢＦ／Ｌの値が、下限値（０．０１）を下回ると、レンズと像面ＩＳとの間隔が短くなるため、温度変化によるピントずれや素子間の表面反射によるゴースト光の発生が懸念される。
【００１７】
上記条件式（２）は、第１レンズＬ１と第２レンズＬ２とが接合した第１群（Ｇ１）の
第１群の屈折力（パワー）を定めるもので、ｆ１／ｆの値が上限（９．５）を超えると球面収差が補正不足になり、下限（０．５０）を超えると球面収差が補正過剰となり、いずれの場合でもコマ収差が悪化し、結像性能の低下を招く。
【００１８】
上記条件式（３）は、第５レンズＬ５と第６レンズＬ６との空気間隔ｄ１０と全系のｅ線の焦点距離ｆとの比を定めるもので、ｄ１０／ｆの値が上限（０．９０）を超えると球面収差が補正不足となり、コントラストの低下を招く。一方、ｄ１０／ｆの値が下限（０．２０）を超えると像面湾曲の補正が難しくなり、像面は平坦さを欠き、結像性能の低下を招く。
【００１９】
前記読取レンズが上記条件式（１）〜（３）を満足する構成とすることにより、Ｃ線からｇ線と広い範囲で軸上の色収差を良好に補正し、半画角が３０゜と非常に広角であるにもかかわらず良好に像面湾曲補正がなされ、かつＦナンバが５．６程度と明るく、更に、開口効率が周辺部まで１００％に近く、諸収差も良好に補正され、高空間周波数領域で高いコントラストの良好な性能が得られる。
【００２０】
前記読取レンズにおいて、第１レンズＬ１の入射側面を非球面とすることができる。
第１レンズＬ１の入射側面を非球面とすることにより、非球面が収差補正の役割を担うので、第１レンズＬ１よりも像側に配置されたレンズの寸法を小さく抑えることができる。
【００２１】
また、第６レンズＬ６の像側面を非球面とすることができる。
第６レンズＬ６は結像面ＩＳに近く、軸外光線高さが他のレンズと比較して高いので光束が十分に分離されており、第６レンズＬ６の像側面を非球面とすることにより、軸外収差を効果的に補正することができる。
【００２２】
また、第６レンズＬ６をプラスチック製とすることができる。第６レンズＬ６をプラスチック製にすることで、非球面を精密に加工することができる。
第６レンズＬ６は結像面ＩＳ近傍に配置されるため、ラインセンサの長手方向とほぼ同等の径が必要となる。そのため、円形状のレンズ外形の寸法が非常に大きくなり、レンズ自体のコストが大幅にアップしたり、前記読取レンズを用いた画像読取装置の高さが非常に高くなったりする。そこで、第６レンズＬ６をガラスレンズより安価なプラスチック製のレンズとすることにより、製造コストを抑えることができる。
【００２３】
一方、円形状のままであるとレンズ外形の寸法が非常に大きくなるため、第６レンズＬ６の外形形状を主走査方向に長い短冊形状とすることができる。ここで、「主走査方向」は、原稿読取レンズと組み合わせられるラインセンサアレイにおけるラインセンサの配列方向を言う。
第６レンズＬ６の外形形状の一例を図２に示す。図２（Ａ）は斜視図、（Ｂ）は正面の断面図である。
【００２４】
後述する画像読取装置においては、原稿情報をラインとしてラインセンサ上に結像させるため、読取レンズの外形形状は「光軸に対して回転対称」でなくても良い。そこで、第６レンズＬ６の外形形状を図２に示すような「主走査方向に長い短冊形状」とすることにより、画像読取装置の薄型化・小型化やレンズの低コスト化に対応することができる。
【００２５】
以下、前記読取レンズの実施形態に係るレンズの諸収差及び具体的な数値データを示す。表１〜表９に示す各実施態様（実施例）における記号の意味は以下の通りである。
ｆ：全系のｅ線の合成焦点距離
ＦＮｏ：Ｆナンバー
ｍ：縮率
Ｙ：物体高
ω：半画角
ＢＦ：レンズのバックフォーカス
Ｌ：レンズ全長
ｒ：レンズ面の曲率半径
ｄ：面間隔
ｎｄ：各レンズの材料のｄ線の屈折率
νｄ：各レンズの材料のｄ線のアッベ数
ｎｅ：各レンズの材料のｅ線の屈折率
ｆ１：第１群（Ｇ１）のｅ線の焦点距離をｆ１
ｄ１０：第５レンズＬ５と第６レンズＬ６との空気間隔
【００２６】
各実施例のデータを示す表１、表３、表５及び表７における「左端の欄」は、各面を表す指標であり、ｃ１はコンタクトガラスの物体側の面、ｃ２はコンタクトガラスの像側の面を表し、１〜１２の番号は、読取レンズの物体側から数えた各面（レンズ面および絞りの面）を表し、ｃ３はＣＣＤカバーガラスの物体側の面、ｃ４はＣＣＤカバーガラスの像側の面を表す。
【００２７】
また、非球面は下記式で表す。
【数１】
2014035397.tif 000003
ここで、上記式において
Ｘ：光軸から高さＹにおける非球面の非球面頂点における接平面からの距離
Ｙ：光軸からの高さ
Ｒ：非球面の近軸曲率半径
Ｋ：円錐定数
Ａ４,Ａ６,Ａ８,Ａ１０：非球面係数
ＳＱＲＴ：平方根の意味
である。
また、表２、表４、表６及び表８に示す数値例の中で、「Ｅ−ＸＹ」は、１０−ＸＹの意味であり、例えば「Ｅ−１２」は１０−１２を意味する。
【００２８】
また、図４、図６、図８及び図１０に示す収差図において、「ｅ」はｅ線(５４６．０７ｎｍ)、「ｇ」はｇ線(４３６．８３ｎｍ)、「ｃ」はＣ線(６５６．２７ｎｍ)、「Ｆ」はＦ線(４８６．１３ｎｍ)を示す。
また、球面収差の図では、波線は正弦条件を示し、非点収差の図では、実線はサジタル光線、点線はメリディオナル光線を示す。
【００２９】
〔第１の実施形態（実施例１）〕
第１の実施形態のレンズ構成を図３に、収差図を図４に示す。
また、構成するレンズの具体的な数値データを表１に示す。
【００３０】
【表１】
2014035397.tif 000004
【００３１】
表２に、第１の実施形態の非球面の円錐定数Ｋ及び非球面係数（Ａ４,Ａ６,Ａ８,Ａ１０）を示す。
【００３２】
【表２】
2014035397.tif 000005
【００３３】
〔第２の実施形態（実施例２）〕
第２の実施形態のレンズ構成を図５に、収差図を図６に示す。
また、構成するレンズの具体的な数値データを表３に示す。
【００３４】
【表３】
2014035397.tif 000006
【００３５】
表４に、第２の実施形態の非球面の円錐定数Ｋ及び非球面係数（Ａ４,Ａ６,Ａ８,Ａ１０）を示す。
【００３６】
【表４】
2014035397.tif 000007
【００３７】
〔第３の実施形態（実施例３）〕
第３の実施形態のレンズ構成を図７に、収差図を図８に示す。
また、構成するレンズの具体的な数値データを表５に示す。
【００３８】
【表５】
2014035397.tif 000008
【００３９】
表６に、第３の実施形態の非球面の円錐定数Ｋ及び非球面係数（Ａ４,Ａ６,Ａ８,Ａ１０）を示す。
【００４０】
【表６】
2014035397.tif 000009
【００４１】
〔第４の実施形態（実施例４）〕
第４の実施形態のレンズ構成を図９に、収差図を図１０に示す。
また、構成するレンズの具体的な数値データを表７に示す。
【００４２】
【表７】
2014035397.tif 000010
【００４３】
表８に、第４の実施形態の非球面の円錐定数Ｋ及び非球面係数（Ａ４,Ａ６,Ａ８,Ａ１０）を示す。
【００４４】
【表８】
2014035397.tif 000011
【００４５】
表９に、各実施形態（実施例）における条件のパラメータの値を示す。
【００４６】
【表９】
2014035397.tif 000012
【００４７】
表９に示すとおり、いずれの実施形態の読取レンズも、下記条件式（１）〜（３）を満足する。
（１）０．０１＜ＢＦ／Ｌ＜０．１０
（２）０．５０＜ｆ１／ｆ＜９．５
（３）０．２０＜ｄ１０／ｆ＜０．９０
また、図４、図６、図８及び図１０に示す各収差図から明らかなように、いずれの実施形態の読取レンズにおいても、Ｃ線（６５６．２７ｎｍ）からｇ線（４３５．８３ｎｍ）と広い範囲で軸上の色収差を良好に補正し、半画角が３０゜を超える広角でも良好に像面湾曲補正がなされ、Ｆナンバーが５．６程度と明るく、かつ周辺部まで１００％に近い開口効率を有し、緒収差を良好に補正可能であり、高空間周波数領域で高いコントラストを有する。
【００４８】
〔画像読取装置〕
前記画像読取装置は、原稿を照明する照明系と、前記照明系で照明された原稿の反射光を縮小結像させる結像レンズと、前記結像レンズで結像された原稿像を光電変換するラインセンサを有し、前記結像レンズとして前記読取レンズを用いる。
図１１に、画像読取装置の実施の一形態を示す。
【００４９】
図１１に示すように、読み取られるべき画像を有する原稿１２は、原稿台としてのコンタクトガラス１１上に平面的に定置される。原稿台（コンタクトガラス）１１の下部には、照明手段１３が配置されている。照明手段１３は、光源として図面に直交する方向に長い管灯、及びリフレクタで構成され、「図面に直交する方向に長いスリット状部分」を照明する。
【００５０】
前記光源としては、例えば、キセノンランプ、ハロゲンランプ、ＬＥＤ光源等を用いることができるが、ＬＥＤ光源を使用することが好ましい。ＬＥＤ光源を使用することにより、読取光学系の消費電力を低減可能であり、省エネルギーを達成することができる。
【００５１】
照明された原稿１２から反射された反射光（画像による反射光）は、折り返しミラー（図１１ではＭ１〜Ｍ５の５枚のミラーを配置）により順次反射され、読取レンズ１５により光電変換素子としてのラインセンサ１６の撮像面上に原稿画像の縮小像として結像される。なお、本実施形態では折返しミラーの枚数が５枚の例を示したが、枚数は５枚に限定されない。
【００５２】
照明手段１３、折り返しミラーＭ１〜Ｍ５、読取レンズ１５及び光電変換素子１６は、画像読取ユニット１７として一体的に保持され、図示されない駆動手段により矢印方向（図の右方）へ走行し、破線で示す位置の画像読取ユニット１７まで変位し、原稿全体の情報を読み取る。
【００５３】
画像読取装置は、読取レンズ１５の結像光路上に色分解手段を有し、原稿画像をフルカラーで読取るようになっている。
「撮像部」であるラインセンサ１６は、前記色分解手段として赤（Ｒ）、緑（Ｇ）、青（Ｂ）のフィルタを持った光電変換素子（１６ａ、１６ｂ、１６ｃ）を、１チップに３列に配列させた３ラインＣＣＤ（３ラインのラインセンサ）であり、原稿１２の照明走査に伴い、原稿画像を画像信号化する。このようにして原稿１２の読み取りが実行され、原稿１２のカラー画像は、赤、緑、青の３原色に色分解して読み取られる。
【００５４】
「色分解」は、上記以外に、読取レンズ１５とラインセンサ（ＣＣＤ）１６との間に色分解プリズムやフィルタを選択的に挿入し、Ｒ（赤）、Ｇ（緑）、Ｂ（青）に色分解する方法や、「Ｒ、Ｇ、Ｂの光源を順次点灯させ原稿を照明する方法」を用いることができる。
また、結像光路中に色分解素子を有さず、原稿情報をモノクロとして読み取ることも可能である。
【００５５】
読取レンズ１５は、軸上の色収差が良好に補正されたレンズであるため、該画像読取レンズを用いることで、フルカラーを良好な性能で読取ることが可能となり、画像読取装置の多機能化、高性能化を達成することが出来る。
【００５６】
〔画像形成装置〕
画像形成装置は、本発明に係る画像読取レンズを備えた前記画像読取装置を備える。
図１２に、本発明の画像形成装置の実施の一形態を示す。
【００５７】
図１２に示すように、画像形成装置は、装置上部に位置する画像読取装置２００と、その下位に位置する画像形成部とを有する。なお、画像読取装置２００は、図１１に即して説明したのと同様のものであり、各部には図１１と同じ符号を付してある。
【００５８】
画像読取ユニット１７の３ラインのラインセンサ（撮像手段）１６から出力される画像信号は画像処理部１２０に送られ、画像処理部１２０において処理されて「書込み用の信号（イエロー・マゼンタ・シアン・黒の各色を書込むための信号）」に変換される。
【００５９】
画像形成部は、「潜像担持体」として円筒状に形成された光導電性の感光体１１０を有し、その周囲に、帯電手段としての帯電ローラ１１１、リボルバ式の現像装置１１３、転写ベルト１１４、クリーニング装置１１５が配設されている。帯電手段としては帯電ローラ１１１に代えて「コロナチャージャ」を用いることもできる。
【００６０】
信号処理部１２０から書込み用の信号を受けて光走査により感光体１１０に書込みを行う光走査装置１１７は、帯電ローラ１１１と現像装置１１３との間において感光体１１０光走査を行うようになっている。
【００６１】
符号１１６は定着装置、符号１１８はカセット、符号１１９はレジストローラ対、符号１２２は給紙コロ、符号１２１はトレイ、符号１３０は「記録媒体」としての転写紙を示している。
【００６２】
画像形成を行うときは、光導電性の感光体１１０が時計回りに等速回転され、その表面が帯電ローラ１１１により均一帯電され、光走査装置１１７のレーザビームの光書込による露光を受けて静電潜像が形成される。形成された静電潜像は所謂「ネガ潜像」であって画像部が露光されている。
【００６３】
「画像の書込み」は、感光体１１０の回転に従い、イエロー画像、マゼンタ画像、シアン画像、黒画像の順に行われ、形成された静電潜像はリボルバ式の現像装置１１３の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により順次反転現像されてポジ画像として可視化され、得られた各色トナー画像は、転写ベルト１１４上に、転写電圧印加ローラ１１４Ａにより順次転写され、上記各色トナー画像が転写ベルト１１４上で重ね合わせられてカラー画像となる。
【００６４】
転写紙１３０を収納したカセット１１８は、画像形成装置本体に脱着可能であり、図のごとく装着された状態において、収納された転写紙１３０の最上位の１枚が給紙コロ１２２により給紙され、給紙された転写紙１３０はその先端部をレジストローラ対１１９に捕えられる。
【００６５】
レジストローラ対１１９は、転写ベルト１１４上の「トナーによるカラー画像」が転写位置へ移動するのにタイミングを合わせて転写紙１３０を転写部へ送り込む。送り込まれた転写紙１３０は、転写部においてカラー画像と重ね合わせられ、転写ローラ１１４Ｂの作用によりカラー画像を静電転写される。転写ローラ１１４Ｂは、転写時に転写紙１３０をカラー画像に押圧させる。
【００６６】
カラー画像を転写された転写紙１３０は定着装置１１６へ送られ、定着装置１１６においてカラー画像を定着され、図示されないガイド手段による搬送路を通り、図示されない排紙ローラ対によりトレイ１２１上に排出される。各色トナー画像が転写されるたびに、感光体１１０の表面はクリーニング装置１１５によりクリーニングされ、残留トナーや紙粉等が除去される。
【００６７】
前記画像形成装置は、前記読取レンズを使用した前記画像読取装置を備えることにより、良好な読み取り画像品質を基に高画質な画像が形成可能な画像形成装置が低コストで得られる。
なお、前記画像形成装置は、感光体を各色に対応して複数配置した、いわゆるタンデム式の画像形成装置であってもよい。勿論、前記画像形成装置を「モノクロームの画像形成を行うように構成」できることは言うまでもない。
【符号の説明】
【００６８】
Ｌ１    第１レンズ
Ｌ２    第２レンズ
Ｌ３    第３レンズ
Ｌ４    第４レンズ
Ｌ５    第５レンズ
Ｌ６    第６レンズ
ＣＮ    コンタクトガラス
ＣＶ    ＣＣＤカバーガラス
ＩＳ    像面
１１    原稿台（コンタクトガラス）
１２    原稿
１５    画像読取レンズ
１６    ラインセンサ（ＣＣＤ）
１７    画像読取ユニット
２００  画像読取装置
【先行技術文献】
【特許文献】
【００６９】
【特許文献１】特許第３８６２４４６号公報
【特許文献２】特開２００２−２４４０３３号公報
【特許文献３】特許第３９３９９０８号公報
【特許文献４】特許第４４９６２３１号公報
【図１】
2014035397.tif 000013
【図２】
2014035397.tif 000014
【図３】
2014035397.tif 000015
【図４】
2014035397.tif 000016
【図５】
2014035397.tif 000017
【図６】
2014035397.tif 000018
【図７】
2014035397.tif 000019
【図８】
2014035397.tif 000020
【図９】
2014035397.tif 000021
【図１０】
2014035397.tif 000022
【図１１】
2014035397.tif 000023
【図１２】
2014035397.tif 000024